(57)【要約】【課題】  氏名等の筆記事項を記載し又は捺印すべき箇所を明示できるとともに、記載又は捺印後に煩雑な作業を伴うことなく書面の体裁を容易に整えることができる手段を提供すること。【解決手段】  粘着シート（１）は、環状に作られたシート体（３）と、シート体（３）の片面側の一部に設けた粘着剤層（５）とを具備する。【選択図】  図１
2007277321.tif 000002
【特許請求の範囲】
【請求項１】
環状に作られたシート体と、
該シート体の片面側の一部又は全部に設けた粘着剤層と
を具備する粘着シート。
【請求項２】
切り込み又はミシン目を、これにより区切られる内側部分を捲ることができるように、開いた環状に設けたシート体と、
前記切り込み又はミシン目により区切られる前記シート体の外側部分の片面側に設けた粘着剤層と
を具備する粘着シート。
【請求項３】
前記シート体には、前記切り込み又はミシン目に沿って孔が設けられている請求項２に記載の粘着シート。
【請求項４】
前記シート体は、外周が四角形に作られており、その一辺に平行なミシン目が前記粘着剤層を通るように設けられている請求項１乃至３のいずれかに記載の粘着シート。
【請求項５】
前記開いた環状とは、コ字形状、Ｃ字形状、又はＵ字形状である請求項１乃至４のいずれかに記載の粘着シート。
【請求項６】
請求項１乃至５のいずれかに記載の粘着シートが複数枚積層された粘着シート積層体。
【発明の詳細な説明】
【技術分野】
【０００１】
本発明は、シート体の片面側に粘着剤層を設けてなる粘着シートに関する。
【背景技術】
【０００２】
従来、契約書等の書面に署名や捺印を求める場合、図２０及び図２１に示すように、付箋７１を付して該当ページを示し、そのページ内に鉛筆等の筆記具を用いて丸７３や注意書き７５等の目印を記して署名し及び捺印すべき箇所を示している。これにより、書面を受け取った者は、図２２に示すように、正しい箇所（例えば、丸７３の中）に署名し及び捺印することができる。
【０００３】
また、付箋７１は、紙又は樹脂等のシート状材料で作られたシート体の片面側の一部に粘着剤層が設けられ、剥離及び接着を繰り返し行えるように構成された粘着シートである。付箋７１等の粘着シートは、非特許文献１に開示されているように、様々な大きさ又は形状のものが普及している。
【非特許文献１】ポストイット（登録商標）の製品紹介ページ（http://www.mmm.co.jp/office/post_it/index.html／住友スリーエム株式会社のホームページ内）
【発明の開示】
【発明が解決しようとする課題】
【０００４】
しかし、署名又は捺印済みの書面を受け取った者は、書面の体裁を整えるため、予め記した丸７３及び注意書き７５等の目印を綺麗に消すという煩雑な作業を行わなければならない。また、目印を消す際に誤って署名又は印影を汚してしまった場合、署名又は捺印を改めて求めなければならない。銀行、証券会社、及び特許事務所など、顧客に対して署名又は捺印を求める機会の多い事業者においては、これらの問題が頻繁に発生する。
【０００５】
本発明は、上記の事情に鑑み、氏名等の筆記事項を記載すべき箇所又は捺印すべき箇所を明示できるとともに、記載又は捺印後に煩雑な作業を伴うことなく書面の体裁を容易に整えることができる手段の提供を目的とする。
【課題を解決するための手段】
【０００６】
本発明の粘着シートは、環状に作られたシート体と、該シート体の片面側の一部又は全部に設けた粘着剤層とを具備する。
【０００７】
本発明の別の粘着シートは、切り込み又はミシン目を、これにより区切られる内側部分を捲ることができるように、開いた環状に設けたシート体と、前記切り込み又はミシン目により区切られる前記シート体の外側部分の片面側に設けた粘着剤層とを具備する。
【０００８】
本発明の具体的態様としては、前記シート体には、前記切り込み又はミシン目に沿って孔が設けられている。
【０００９】
或いは、前記シート体は、外周が四角形に作られており、その一辺に平行なミシン目が前記粘着剤層を通るように設けられている。
【００１０】
前記開いた環状の具体的態様としては、コ字形状、Ｃ字形状、又はＵ字形状を採用することができる。
【００１１】
本発明の粘着シート積層体は、粘着シートを複数枚積層して構成される。
【発明の効果】
【００１２】
本発明の粘着シートは、契約書等の書面の適宜の位置に貼付するだけで、氏名等の筆記事項を記載すべき箇所又は捺印すべき箇所を明示することができるとともに、記載又は捺印の後は、書面から剥がすだけで、煩雑な作業を伴うことなく書面の体裁を整えることができる。
【００１３】
シート体に、切り込み又はミシン目を開いた環状に設けた場合、契約書等の書面の適宜の位置に粘着シートを貼付し、その切り込み又はミシン目により区切られる内側部分を、氏名等の筆記事項を記載すべき箇所又は捺印すべき箇所として明示することができる。そして、記載すべき又は捺印すべき者は、その内側部分を捲るだけで、的確な位置に氏名等の筆記事項を記載し又は捺印できる。尚、粘着シートの内側部分は、これを貼付した者が予め捲っておいてもよい。
【００１４】
また、記載又は捺印後にその内側部分を閉じれば、署名又は捺印時に付着した余分なインク又は朱肉で書面が汚れるのを防ぐことができる。更に、記載又は捺印の後は、書面から粘着シートを剥がすだけで、煩雑な作業を伴うことなく、書面の体裁を整えることができる。
【００１５】
シート体に設けた切り込み又はミシン目に沿って孔を開けることにより、この孔に指又は指の爪を入れてシート体の端部に係止させることができるので、シート体を容易に捲ることができる。
【００１６】
本発明の粘着シート積層体は、粘着シートを複数枚積層した構成であり、粘着シートが必要な時には、必要な枚数だけ剥がして使用することができる。
【発明を実施するための最良の形態】
【００１７】
［実施例１］
図１は、実施例１の粘着シート１の表面側を示し、図２は、その裏面側を示す。
【００１８】
粘着シート１は、
環状に作られた樹脂製のシート体３と、
シート体３の片面側に設けた粘着剤層５と
を具備する。
【００１９】
シート体３は、内側に所定範囲（例えば、半径１ｃｍの円より大きい範囲）の領域を区画するように、環状に作るのがよい。
【００２０】
シート体３の外側の形状については、特に制限はなく、デザイン及びコストを考慮して四角形又は円形等の適宜の形状にすればよい。実施例１においては、シート体３の外周形状を四角形とした。
【００２１】
シート体３の内側の形状については、捺印箇所を示すためには、円形若しくは正方形又はこれらとほぼ同じ形状に作るのがよく、氏名又は署名日等の筆記事項の記載箇所を示すためには、長方形又はこれとほぼ同じ形状に作るのがよい。実施例１では、シート体３の内側の形状を四角形とした。
【００２２】
また、粘着剤層５は、シート体３の片面側の一部又は全部に粘着剤を塗布することにより設けることができる。実施例１においては、シート体３の環の一辺を成す部分に粘着剤層５を設け、図２において斜線で簡略に表した。
【００２３】
図３及び図４は、粘着シート１の使用方法を示す。尚、これらの図においては、内側が横長の長方形に作られているものを粘着シート１ａ，１ｂとし、内側が正方形に作られているものを粘着シート１ｃとする。
【００２４】
粘着シート１ａ，１ｂ，１ｃは、例えば、特許事務所が顧客に対して書面（図では、包括委任状）７上に氏名及び署名日等の筆記事項の記載並びに捺印を求める際に、その記載箇所及び捺印箇所を示すために用いることができる。具体的には、書面７上の署名日の記入箇所には粘着シート１ａを、署名箇所には粘着シート１ｂを、捺印箇所には粘着シート１ｃをそれぞれ貼り付ければよい。
【００２５】
書面７を受け取った顧客は、予め粘着シート１ａ，１ｂ，１ｃが貼付されていることにより、氏名及び署名日の記載箇所並びに捺印箇所を誤認することなく、図４に示すように、正しい箇所（粘着シート１ａ，１ｂ，１ｃの内側の範囲内）に記載し及び捺印することができる。この際、各粘着シート１ａ，１ｂ，１ｃ上の適宜の位置に、筆記事項又は印鑑の種類を示す注意書き９を記しておけば、顧客に対して一層正確な記載及び捺印を促すことができる。
【００２６】
そして、その顧客から書面７を受け取った特許事務所側では、書面７から粘着シート１ａ，１ｂ，１ｃを剥がすだけで、面倒な作業を伴うことなく書面７の体裁を整えることができる。
【００２７】
［実施例２］
図５は、実施例２の粘着シート２１の表面側を示し、図６は、その裏面側を示す。
【００２８】
粘着シート２１は、
ミシン目２３を、これにより区切られる内側部分２５を捲ることができるように、Ｕ字形状に設けた紙製のシート体２７と、
シート体２７の内側部分２５の端部に指又は指の爪を係止できるようにミシン目２３に沿って設けた孔２９と、
ミシン目２３により区切られるシート体２７の外側部分の片面側に設けた粘着剤層３１と
を具備する。
【００２９】
シート体２７は、外周が四角形に作られており、その中央にミシン目２３が設けられている。そして、このミシン目２３によって区切られる略四角形の内側部分２５を捲ることにより、シート体２７の内側には所定範囲（例えば、半径１ｃｍの円より大きい範囲）の領域が形成される。尚、シート体２７の外周の形状及び大きさ、並びにミシン目２３で区切られる内側部分２５の形状及び大きさは、実施例１と同じ考え方で決めればよい。
【００３０】
また、Ｕ字形状に設けたミシン目２３の曲線部分に沿って孔２９を開けることにより、この孔２９に指又は指の爪を入れてシート体２７の端部に係止させることができるため、シート体２７の内側部分２５を容易に捲ることができるようになっている。この孔２９は、シート体２７の内側部分２５に指又は指の爪を係止させることができれば、ミシン目２３に沿う任意の位置に、且つ任意の形状で設けることができる。
【００３１】
また、粘着剤層３１は、ミシン目２３により区切られるシート体２７の外側部分の片面側に粘着剤を塗布することにより設けることができる。この実施例では、ミシン目２３によって区切られたシート体２７の外側部分の一部、具体的にはシート体２７の外側部分と内側部分２５との連続箇所に最寄りの辺に沿って粘着剤層３１を設け、図６において斜線で簡略に表した。尚、粘着剤層３１は、ミシン目２３により区切られるシート体２７の外側部分の片面側の全体に設けることも可能であり、コストや使用上の便宜等の事情を考慮して配置を決定すればよい。
【００３２】
図７及び図８は、粘着シート２１の使用方法を示す。
【００３３】
粘着シート２１は、例えば、何らかの契約における当事者の一方が、他方に対して契約書３３に捺印を求める際に、その捺印箇所を示すために用いることができる。具体的には、契約書３３の該当頁に付箋３５を貼り付け、その頁内の捺印箇所に粘着シート２１を貼り付けるだけでよい。
【００３４】
契約書３３を受け取った者は、付箋３５によって示された該当頁を捲ると、その頁内に粘着シート２１が貼付されていることにより、捺印箇所を即座に認識することができる。そして、シート体２７の内側部分２５を捲って、図８に示すように、正しい箇所（粘着シート２１の内側の範囲内）に捺印することができる。この際、粘着シート２１上の適宜の箇所に、印鑑の種類（例えば、代表者印）を示す注意書き３７を記しておけば、捺印すべき印鑑の種類の間違いを防ぐことができる。
【００３５】
捺印を済ませた者は、付箋３５を剥がし、粘着シート２１の内側部分２５を元のように閉じたうえで、粘着シート２１を貼り付けたまま契約書３３を閉じればよい。このように、捺印後に粘着シート２１の内側部分２５を閉じることにより、捺印時に契約書３３上に付着した余分な朱肉が他の頁に付着するのを防ぐことができる。
【００３６】
そして、契約書３３の返送を受けた当事者の一方は、粘着シート２１を契約書３３から剥がすだけで、契約書３３の体裁を整えることができる。
【００３７】
尚、契約書３３において、消印，割印及び係印その他の印の捺印が必要な箇所、並びに氏名等の筆記事項の記載が必要な箇所を示す場合にも、粘着シート２１を用いることができる。
【００３８】
［実施例３］
図９は、実施例３の粘着シート４１の表面側を示し、図１０は、その裏面側を示す。
【００３９】
粘着シート４１のシート体４３は、実施例２の粘着シート２１のシート体２７を横長にした形状に作られており、ミシン目２３に代えて切り込み４５がコ字形状に設けられている。また、シート体４３を捲る際に指又は指の爪を容易に係止させるための孔４７は、コ字形の一角を成す部分に設けた。更に、粘着剤層４９の配置は、実施例２と同じである。
【００４０】
この実施例の粘着シート４１が実施例２の粘着シート２１と顕著に相違するのは、シート体４３には、その一辺に平行なミシン目５１が粘着剤層４９を通るように設けられている点である。このミシン目５１を千切ることにより、粘着シート４１の一部を付箋として使用することができるようになっている。
【００４１】
図１１は、粘着シート４１を実施例２の粘着シート２１の代わりに使用する場合を示す。
【００４２】
粘着シート４１を用いて契約書３３上の捺印箇所を示すときは、契約書３３の捺印箇所に粘着シート４１を貼り付ける。そして、シート体４３に設けたミシン目５１を千切ることで形成される付箋５３を該当頁の端部に貼り付ける。このように、ミシン目５１を切ることにより、粘着シート４１の一部を付箋５３として利用できるため、捺印箇所を含む頁を示すための付箋を別途用意する必要がなく、便利である。
【００４３】
契約書３３を受け取った契約当事者の他方は、粘着シート４１の内側部分５５を捲って所定の印鑑で捺印した後、その内側部分５５を閉じ、粘着シート４１を貼付したまま契約書３３を閉じればよい。そして、契約書３３の返却を受けた当事者の一方は、粘着シート４１を剥がすだけで契約書３３の体裁を整えることができる。尚、付箋５３は、契約当事者の双方のどちらが剥がしても構わない。
【００４４】
［粘着シート４１の作り方］
次に、実施例３の粘着シート４１の作り方を説明するため、これが複数枚積層された粘着シート積層体６１（図１６）の作り方を説明する。粘着シート４１は、一つずつ作ることもできるが、これを複数枚積層してなる粘着シート積層体６１（図１６）を作れば、必要な時にその積層体から一枚ずつ剥がして使用でき、便利だからである。
【００４５】
［ＳＴＥＰ１：付箋形成用ミシン目を設ける］
まず、図１２に示すように、粘着シート４１のシート体４３より大きい（例えば、縦が７倍で横が６倍の大きさの）紙シート６３を用意し、直線状のミシン目５１を等間隔に複数（図では６本）設ける。
【００４６】
［ＳＴＥＰ２：切り込み又はミシン目を開いた環状に設ける］
そして、図１３に示すように、各ミシン目５１の間に、コ字形を成す切り込み４５を等間隔に所定の個数（図では７個）ずつ設ける。このとき、切り込み４５は、隣り合う二本のミシン目５１のうち一方（図では、左側の方）に寄せて設けるのがよい。
【００４７】
［ＳＴＥＰ３：孔を設ける］
切り込み４５を設けると同時に又はその後に、コ字形を成す各切り込み４５の一隅に孔４７を開ける。
【００４８】
［ＳＴＥＰ４：粘着剤層を設ける］
次に、コ字形を成す各切り込み４５の両端部付近を通るように、紙シート６３の一方の面側に粘着剤を帯状に塗布することにより、粘着剤層４９を設ける。
【００４９】
尚、上記のＳＴＥＰ１〜ＳＴＥＰ４は、順序を入れ替えてもよい。
【００５０】
［ＳＴＥＰ５：紙シートを積層する］
その後、紙シート６３を裏返し、図１５に示すように同じ向きで複数枚積層する。このとき、最下層に位置する紙シート６３の裏面（粘着剤層４９が露出する面）には、樹脂コーティング等の処理が施された紙等のいわゆる剥離紙を台紙として貼っておくのがよい。
【００５１】
［ＳＴＥＰ６：積層した紙シートを切断する］
最後に、図１６に示すように、複数枚積層した紙シート６３を、コ字形状の切り込み４５を一つずつ含むように所定の個数（図では４２個）に等分することにより、粘着シート４１を複数枚積層してなる粘着シート積層体６１を複数（ここでは４２個）作ることができる。
【００５２】
尚、実施例１及び実施例２の粘着シート（１，１ａ，１ｂ，１ｃ，２１）についても、上記のように、これらを複数枚積層して成る粘着シート積層体を作ることができる。これにより、これらの粘着シート（１，１ａ，１ｂ，１ｃ，２１）も、必要に応じて一枚ずつ剥がして使用することができる。
【００５３】
以上、本発明の実施例を説明したが、本発明の構成はこれらに限られない。例えば、実施例２の粘着シート２１で説明すると、シート体２７には、図１７に複数示すように、開いた環状（ここではＵ字形状）に設けたミシン目２３における開いた部分に、切り込み、ミシン目、溝又は孔を設けることができる。この構成により、シート体の内側部分２５を捲り上げたときは、内側部分２５をわざわざ手で折り曲げなくても、内側部分２５が、ミシン目２３の両端部を結ぶ線分の位置で自然に折り曲がることとなる。このように、シート体の内側部分２５が自然に折り曲がることにより、内側部分２５を捲り上げた際にシート体２７が千切れるのを防ぐこともできる。この開いた環状に設けたミシン目２３における開いた部分に、切り込み、ミシン目、溝又は孔を設けるＳＴＥＰは、前述のＳＴＥＰ１〜ＳＴＥＰ４の間の任意の箇所に設けることができる。尚、本発明の構成を説明するにあたり、「ミシン目」とは、間隔を開けて複数設けた切り込み又は孔をいう。
【００５４】
また、実施例では、シート体２７，４３にそれぞれ設けたミシン目２３及び切り込み４５の形状（開いた環状）の例として、Ｕ字形状及びコ字形状を挙げたが、この形状（開いた環状）は、Ｃ字形状又はＵ字形状であってもよい。更に、ミシン目２３及び切り込み４５の形状（開いた環状）は、上記のほかに、これにより区切られる内側部分が所定の範囲（例えば、半径１ｃｍの円より大きい範囲）を成すものであれば、「任意の形状の環」を解いたものを採用できる。
【００５５】
更に別の形態として、例えば、図１８は、シート体６４にＨ字形状の切り込み６５を設けて成る粘着シート６６を示す。
【００５６】
具体的には、粘着シート６６は、
【００５７】
切り込み６５を、これにより区切られる上下一対の内側部分６７ａ，６７ｂを捲ることができるように、Ｈ字形状に設けた紙製のシート体６４と、
【００５８】
シート体６４の内側部分６７ａ，６７ｂの端部に指又は指の爪を係止できるように切り込み６５に沿って設けた孔６８と、
【００５９】
シート体６４の片面側であって、Ｈ字形状に設けた切り込み６５の外側部分に設けた粘着剤層（図ではシート体６４の裏面側に位置するため、図示を省略した。）と
を具備する。
【００６０】
シート体６４は、外周が四角形に作られており、その中央に切り込み６５がＨ字形状に設けられている。そして、この切り込み６５によって区切られる一対の内側部分６７ａ，６７ｂを捲ることにより、シート体６４の内側には所定範囲（例えば、半径１ｃｍの円より大きい範囲）の領域が形成される。尚、この粘着シート６６においては、内側部分６７ａ，６７ｂが一対に設けられているため、それぞれを捲り上げることにより形成される領域を、異なる目的の為に明示することができる。具体的には、例えば、一方の内側部分６７ａを捲ってできる領域を署名箇所として、そして、他方の内側部分６７ｂを捲ってできる領域を捺印箇所として、それぞれ明示することができる。
【００６１】
更に別の形態として、図１９は、実施例２の粘着シート２１におけるＵ字形状のミシン目２３を、Ｅ字形状のミシン目６９とした例を示す。尚、Ｅ字形は、コ字形の内側に線分を描いて成る形状であるため、この例におけるミシン目２３は、コ字形状に設けたミシン目６９の内側に、直線状のミシン目６９を更に設けて成るものとみることもできる。
【００６２】
シート体２７には、図１８で説明した前述の粘着シート６６と同様に、Ｅ字形状のミシン目により内側部分２５ａ，２５ｂが一対に区切られるため、それぞれの内側部分２５ａ，２５ｂを捲ってできる領域を、前述と同様に異なる目的の為に明示することができる。また、この例においては、指又は指の爪を内側部分２５ａ，２５ｂの縁に係止させるための孔２９を、コ字形に設けたミシン目６９とその内側に直線状に設けたミシン目６９とが交わる位置に設けた。
【００６３】
各実施例におけるシート体３，２７，４３，６４の色彩については、特に制限はない。例えば、透明な材料を用いて作れば、周囲の文字（例えば、「氏名」等の項目名）等の情報が見えるため、
（１）何を記載すべきなのか、
（２）どのような印鑑で捺印すべきなのか
を明確に把握でき、手続きの間違いを防止できる。一方、色彩のある材料を用いて作った場合において、例えば、書類の色と異なるものを貼付すれば、記載箇所又は捺印箇所を際立たせることができる。
【図面の簡単な説明】
【００６４】
【図１】実施例１の粘着シートの表面側を示す斜視図。
【図２】実施例１の粘着シートの裏面側を示す斜視図。
【図３】実施例１の粘着シートの使用方法を示す図。
【図４】図３に続き、粘着シートの使用方法を示す図。
【図５】実施例２の粘着シートの表面側を示す斜視図。
【図６】実施例２の粘着シートの裏面側を示す斜視図。
【図７】実施例２の粘着シートの使用方法を示す図。
【図８】図７に続き、粘着シートの使用方法を示す図。
【図９】実施例３の粘着シートの表面側を示す斜視図。
【図１０】実施例３の粘着シートの裏面側を示す斜視図。
【図１１】実施例３の粘着シートを実施例２の粘着シートの代わりに使用する方法を示す図。
【図１２】粘着シート積層体の作り方を示す図。
【図１３】図１２に続き、粘着シート積層体の作り方を示す図。
【図１４】図１３に続き、粘着シート積層体の作り方を示す図。
【図１５】図１４に続き、粘着シート積層体の作り方を示す図。
【図１６】図１５に続き、粘着シート積層体の作り方を示す図。
【図１７】実施例２の粘着シートのシート体において、開いた環状に設けたミシン目における開いた部分に、切り込み、ミシン目、溝又は孔を設けた例を複数示す図。
【図１８】シート体にＨ字形状の切り込みを設けて成る粘着シートを示す図。
【図１９】実施例２の粘着シートにおけるＵ字形状のミシン目を、Ｅ字形状のミシン目とした例を示す図。
【図２０】書面に署名や捺印を求める場合における従来の方法を示す図。
【図２１】書面に署名や捺印を求める場合における従来の方法を示す図。
【図２２】書面に署名や捺印を求める場合における従来の方法を示す図。
【符号の説明】
【００６５】
１，１ａ，１ｂ，１ｃ，２１，４１，６６…粘着シート
３，２７，４３，６４…シート体
５，３１，４９…粘着剤層
７…書面
９，３７，７５…注意書き
２３，５１，６９…ミシン目
２５，２５ａ，２５ｂ，５５，６７ａ，６７ｂ…内側部分
２９，４７，６８…孔
３３…契約書
３５，５３，７１…付箋
４５，６５…切り込み
６１…粘着シート積層体
６３…紙シート
７３…丸
【図１】
2007277321.tif 000003
【図２】
2007277321.tif 000004
【図３】
2007277321.tif 000005
【図４】
2007277321.tif 000006
【図５】
2007277321.tif 000007
【図６】
2007277321.tif 000008
【図７】
2007277321.tif 000009
【図８】
2007277321.tif 000010
【図９】
2007277321.tif 000011
【図１０】
2007277321.tif 000012
【図１１】
2007277321.tif 000013
【図１２】
2007277321.tif 000014
【図１３】
2007277321.tif 000015
【図１４】
2007277321.tif 000016
【図１５】
2007277321.tif 000017
【図１６】
2007277321.tif 000018
【図１７】
2007277321.tif 000019
【図１８】
2007277321.tif 000020
【図１９】
2007277321.tif 000021
【図２０】
2007277321.tif 000022
【図２１】
2007277321.tif 000023
【図２２】
2007277321.tif 000024